【手続補正書】
【提出日】平成26年10月16日(2014.10.16)
【手続補正１】
【補正対象書類名】明細書
【補正対象項目名】００５２
【補正方法】変更
【補正の内容】
【００５２】
いくつかの実施形態において、カーボンナノチューブを含むｎ型層のカーボンナノパーティクルの長さは、約１ｎｍ〜約５ｍｍ、又は、約１０ｎｍ〜約１ｍｍである。いくつかの実施形態において、ｎドープカーボンナノパーティクルの長さは、約５０ｎｍ〜約５００μｍ、約１００ｎｍ〜約１００μｍ、又は、約５００ｎｍ〜約１０μｍである。いくつかの実施形態において、ｎドープカーボンナノパーティクルの長さは、約２００μｍ〜約５００μｍである。
【手続補正２】
【補正対象書類名】明細書
【補正対象項目名】００８３
【補正方法】変更
【補正の内容】
【００８３】
いくつかの実施形態によれば、感光性領域は、小分子により構成することができる。一実施形態において、感光有機層の感光性領域に使用するのに好適な小分子は、クマリン６、クマリン３０、クマリン１０２、クマリン１１０、クマリン１５３、クマリン４８０Ｄとすることができる。他の実施形態において、小分子は、メロシアニン５４０とすることができる。さらに他の実施形態において、小分子は、９，１０−ジヒドロベンゾ［ａ］ピレン−７（８Ｈ）−オン、７−メチルベンゾ［ａ］ピレン、ピレン、ベンゾ［ｅ］ピレン、３，４−ジヒドロキシ−３−シクロブテン−１，２−ジオン、１，３−ビス［４−（ジメチルアミノ）フェニル］−２，４−ジヒドロキシシクロブテンジイリウムジヒドロオキサイドとすることができる。
【手続補正３】
【補正対象書類名】特許請求の範囲
【補正対象項目名】全文
【補正方法】変更
【補正の内容】
【特許請求の範囲】
【請求項１】
少なくとも１層のｎ型層に結合されてｐｎ接合を形成する少なくとも１層のｐ型層と、
少なくとも部分的に前記ｐ型層と前記ｎ型層との間に配置される絶縁層とを備え、
前記ｐ型層は複数のカーボンナノパーティクルを有し、前記ｎ型層は複数のｎドープカーボンナノパーティクルを有することを特徴とする熱電装置。
【請求項２】
複数のｎ型層に結合されて複数のｐｎ接合を形成する複数のｐ型層と、少なくとも部分的に前記ｐ型層と前記ｎ型層との間に配置される絶縁層とを備えることを特徴とする請求項１に記載の熱電装置。
【請求項３】
前記ｐ型層のカーボンナノパーティクルは、単層カーボンナノチューブ、多層カーボンナノチューブ、フラーレン、又は、それらの混合物からなることを特徴とする請求項１に記載の熱電装置。
【請求項４】
前記ｐ型層の前記カーボンナノパーティクルはホウ素からなることを特徴とする請求項３に記載の熱電装置。
【請求項５】
前記ホウ素は、約０．１重量パーセント〜約３０重量パーセントの量で前記カーボンナノパーティクル中に存在することを特徴とする請求項４に記載の熱電装置。
【請求項６】
前記ｎ型層の前記ｎドープカーボンナノパーティクルは、単層カーボンナノチューブ、多層カーボンナノチューブ、フラーレン、又は、それらの混合物からなることを特徴とする請求項１に記載の熱電装置。
【請求項７】
前記ｎドープカーボンナノパーティクルは窒素からなることを特徴とする請求項６に記載の熱電装置。
【請求項８】
前記窒素は、約０．１重量パーセント〜約３０重量パーセントの量で前記カーボンナノパーティクル中に存在することを特徴とする請求項７に記載の熱電装置。
【請求項９】
前記ｐ型層の前記カーボンナノパーティクルは、ポリマーマトリックスに配置されることを特徴とする請求項１に記載の熱電装置。
【請求項１０】
前記ポリマーマトリックスはフッ素ポリマーからなることを特徴とする請求項９に記載の熱電装置。
【請求項１１】
前記フッ素ポリマーは、ポリフッ化ビニル、ポリフッ化ビニリデン、ポリテトラフルオロエチレン、又は、それらの混合物からなることを特徴とする請求項１０に記載の熱電装置。
【請求項１２】
前記ポリマーマトリックスは、ポリアクリル酸、ポリオレフィン、又は、それらの混合物からなることを特徴とする請求項９に記載の熱電装置。
【請求項１３】
前記カーボンナノパーティクルは、約５重量パーセント〜約９５重量パーセントの量で前記ポリマーマトリックス中に存在することを特徴とする請求項９に記載の熱電装置。
【請求項１４】
前記カーボンナノパーティクルは、約１０重量パーセント〜約４０重量パーセントの量で前記ポリマーマトリックス中に存在することを特徴とする請求項９に記載の熱電装置。
【請求項１５】
前記ｐ型層は、２９０°Ｋの温度にて約１０μＶ／Ｋ〜約３５μＶ／Ｋのゼーベック係数を有することを特徴とする請求項９に記載の熱電装置。
【請求項１６】
前記ｎ型層の前記ｎドープカーボンナノパーティクルは、ポリマーマトリックスに配置されることを特徴とする請求項１に記載の熱電装置。
【請求項１７】
前記ポリマーマトリックスはフッ素ポリマーからなることを特徴とする請求項１６に記載の熱電装置。
【請求項１８】
前記フッ素ポリマーは、ポリフッ化ビニル、ポリフッ化ビニリデン、ポリテトラフルオロエチレン、又は、それらの混合物からなることを特徴とする請求項１７に記載の熱電装置。
【請求項１９】
前記ポリマーマトリックスは、ポリアクリル酸、ポリオレフィン、又は、それらの混合物からなることを特徴とする請求項１６に記載の熱電装置。
【請求項２０】
前記ｎドープカーボンナノパーティクルは、約５重量パーセント〜約９５重量パーセントの量で前記ポリマーマトリックス中に存在することを特徴とする請求項１６に記載の熱電装置。
【請求項２１】
前記ｎドープカーボンナノパーティクルは、約１０重量パーセント〜約４０重量パーセントの量で前記ポリマーマトリックス中に存在することを特徴とする請求項１６に記載の熱電装置。
【請求項２２】
前記ポリマーマトリックスは、ｎドープカーボンナノパーティクルに前記ｎドーパントを与えることを特徴とする請求項１６に記載の熱電装置。
【請求項２３】
前記ｎ型層は、２９０°Ｋの温度にて約−１０μＶ／Ｋ〜約−３５μＶ／Ｋのゼーベック係数を有することを特徴とする請求項１６に記載の熱電装置。
【請求項２４】
前記絶縁層は、電気絶縁性を有するポリマー材料からなることを特徴とする請求項１に記載の熱電装置。
【請求項２５】
前記電気絶縁性ポリマー材料はポリオレフィンからなることを特徴とする請求項２４に記載の熱電装置。
【請求項２６】
前記ｐ型層の前記カーボンナノパーティクルは、ｐドープ無機ナノパーティクルで置換され、前記ｎ型層の前記ｎドープカーボンナノパーティクルは、ｎドープ無機ナノパーティクルで置換されることを特徴とする請求項１に記載の熱電装置。
【請求項２７】
ＺＴ値が少なくとも０．５であることを特徴とする請求項２に記載の熱電装置。
【請求項２８】
光起電コンポーネントと熱電コンポーネントとを備える光熱装置であって、
前記熱電コンポーネントは、
少なくとも１層のｎ型層に結合されてｐｎ接合を形成する少なくとも１層のｐ型層と、
少なくとも部分的に前記ｐ型層と前記ｎ型層との間に配置される絶縁層とを備え、
前記ｐ型層は複数のカーボンナノパーティクルを有し、前記ｎ型層は複数のｎドープカーボンナノパーティクルを有することを特徴とする光熱装置。
【請求項２９】
前記熱電コンポーネントは、複数のｎ型層に結合されて複数のｐｎ接合を形成する複数のｐ型層と、少なくとも部分的に前記ｐ型層と前記ｎ型層との間に配置される絶縁層とを備えることを特徴とする請求項２８に記載の光熱装置。
【請求項３０】
前記ｐ型層のカーボンナノパーティクルは、単層カーボンナノチューブ、多層カーボンナノチューブ、フラーレン、又は、それらの混合物からなることを特徴とする請求項２８に記載の光熱装置。
【請求項３１】
前記ｎ型層の前記ｎドープカーボンナノパーティクルは、単層カーボンナノチューブ、多層カーボンナノチューブ、フラーレン、又は、それらの混合物からなることを特徴とする請求項３０に記載の光熱装置。
【請求項３２】
前記ｐ型層の前記カーボンナノパーティクルは、ポリマーマトリックスに配置され、前記ｎ型層の前記ｎドープカーボンナノパーティクルは、ポリマーマトリックスに配置されることを特徴とする請求項２８に記載の光熱装置。
【請求項３３】
前記光起電コンポーネントは、放射線透過性の第１の電極と、放射線透過性の第２の電極と、前記放射線透過性の第１の電極と前記放射性透過性の第２の電極との間に配置される少なくとも１層の感光層とを備えることを特徴とする請求項２８に記載の光熱装置。
【請求項３４】
前記少なくとも１層の感光層は、感光性有機材料、感光性無機材料、又は、それらの組み合わせからなることを特徴とする請求項３３に記載の光熱装置。
【請求項３５】
前記光起電コンポーネントと前記熱電コンポーネントとの間に配置されたストークスシフト層をさらに備え、前記ストークスシフト層は、１以上のストークスシフト化学種を有することを特徴とする請求項３３に記載の光熱装置。
【請求項３６】
前記１以上のストークスシフト化学種は、前記光起電コンポーネントを通過する電磁放射線を吸収することが可能であることを特徴とする請求項３５に記載の光熱装置。
【請求項３７】
前記１以上のストークスシフト化学種は染料からなることを特徴とする請求項３５に記載の光熱装置。
【請求項３８】
前記１以上のストークスシフト化学種は蛍光体からなることを特徴とする請求項３５に記載の光熱装置。